(57)【要約】【課題】軽量で扱い易く、更に、建物の内部に露出しても、アルミサッシ等の他の現代的な建物の部材と外観が非常にマッチし、特に、広いフロアを区画する為に設置するパネル体として好適なものを提供するものである。【解決手段】建物の壁部30を形成するパネル体であって、左右の端部材１ａ・１ｂと該左右の端部材１ａ・１ｂ間に設けられる平板２とから成り、左右の端部材１ａ・１ｂとして軽金属製のものが採用されているものである。【選択図】        図２
2004204519.tif 000002
【特許請求の範囲】
【請求項１】
建物の壁部を形成するパネル体であって、左右の端部材と該左右の端部材間に設けられる平板とから成り、左右の端部材として軽金属製のものが採用されていることを特徴とするパネル体。
【請求項２】
建物の壁部を形成するパネル体であって、左右の端部材と該左右の端部材間に設けられる平板とから成り、左右の端部材としてアルミニウムの押し出し成形品が採用されていることを特徴とするパネル体。
【請求項３】
請求項１，２いずれか１項に記載のパネル体において、左右の端部材は中空構造であることを特徴とするパネル体。
【請求項４】
請求項１〜３いずれか１項に記載のパネル体において、左右の端部材は所定長を有し、この左右の端部材の内面にして正面及び裏面から所定の距離だけ奥まった位置には前記端部材の延設方向に延びる凹条が設けられ、この凹条に平板の端部が嵌合される構成であることを特徴とするパネル体。
【請求項５】
請求項４記載のパネル体において、左右の端部材の内面にして正面及び裏面から所定の距離だけ奥まった位置には端部材の延設方向に延びる膨出条が設けられ、この膨出条に凹条が設けられていることを特徴とするパネル体。
【請求項６】
請求項４，５いずれか１項に記載のパネル体において、凹条の内壁には、該凹条に嵌合された平板に係止する係止爪が設けられていることを特徴とするパネル体。
【請求項７】
請求項１〜６いずれか１項に記載のパネル体において、左右の端部材と平板とは、ピンやボルトナット等の連結具によって連結されていることを特徴とするパネル体。
【請求項８】
請求項１〜７いずれか１項に記載のパネル体において、該パネル体は、建物に設けられたフロアを区画する為に設置されるものであることを特徴とするパネル体。
【請求項９】
請求項１〜７いずれか１項に記載の複数のパネル体が並設状態で立設されることで構成された壁部が建物のフロアを区画する仕切り壁であることを特徴とする室内空間。
【発明の詳細な説明】
【０００１】
【発明の属する技術分野】
本発明は、パネル体及び該パネル体により形成される室内空間に関するものである。
【０００２】
【従来の技術及び発明が解決しようとする課題】
家屋の構築の際、工程の簡素化や高強度化等の目的として本願発明者の先願に係る特開平１１−１９００９９号公報等のパネル体が用いられている。このパネル体は、左右の枠部材と該左右の枠部材間に張設される平板とから成る断面視Ｈ型の形状で（故に、Ｈ型パネルと呼ばれている。）、簡易な構造でありながら非常に強度が高く、このＨ型パネルや該Ｈ型パネルを用いた家屋は、市場において大変好評である。
【０００３】
ところで、最近、フロアが一つだけの建物等、広いフロアを有する建物を構築し、このフロアを使用者が適宜な壁材で区画することにより、一部を応接室として残部をオフィスとする等、使用者が自由にフロアをレイアウトできる建物が提供されている。
【０００４】
本願発明者は、このフロアのレイアウト用に前記Ｈ型パネルを使用することを考えたが、従来のＨ型パネルを単に流用するだけでは、種々の問題点があることが判明した。
【０００５】
▲１▼  従来のＨ型パネルは木製若しくは鉄製である為（特開２００２−１３２４５）、重くて移動させにくい。従って、前記建物の特徴であるフロアのレイアウトの変更が厄介である。
【０００６】
▲２▼  上記のような自由にフロアをレイアウトできる建物は、非常に現代的なイメージを訪問者に与えるものであるが、このフロアを仕切るものがオール木製であると、前記現代的イメージにマッチせず、違和感となる。
【０００７】
▲３▼  木製である場合、強度の観点から、左右の枠部材と平板とは接着剤によって連設されているが、この接着剤に含まれている有機溶剤がシックハウス症候群の原因になる懸念がある。フロアのレイアウト用とする場合、Ｈ型パネルは露出するから、この懸念は、より一層顕著となる。
【０００８】
本発明は、上記問題点を解決するパネル体及び該パネル体により形成される室内空間を提供するものである。
【０００９】
【課題を解決するための手段】
添付図面を参照して本発明の要旨を説明する。
【００１０】
建物の壁部30を形成するパネル体であって、左右の端部材１ａ・１ｂと該左右の端部材１ａ・１ｂ間に設けられる平板２とから成り、左右の端部材１ａ・１ｂとして軽金属製のものが採用されていることを特徴とするパネル体に係るものである。
【００１１】
また、建物の壁部30を形成するパネル体であって、左右の端部材１ａ・１ｂと該左右の端部材１ａ・１ｂ間に設けられる平板２とから成り、左右の端部材１ａ・１ｂとしてアルミニウムの押し出し成形品が採用されていることを特徴とするパネル体に係るものである。
【００１２】
また、請求項１，２いずれか１項に記載のパネル体において、左右の端部材１ａ・１ｂは中空構造であることを特徴とするパネル体に係るものである。
【００１３】
また、請求項１〜３いずれか１項に記載のパネル体において、左右の端部材１ａ・１ｂは所定長を有し、この左右の端部材１ａ・１ｂの内面にして正面及び裏面から所定の距離だけ奥まった位置には前記端部材１ａ・１ｂの延設方向に延びる凹条３が設けられ、この凹条３に平板２の端部が嵌合される構成であることを特徴とするパネル体に係るものである。
【００１４】
また、請求項４記載のパネル体において、左右の端部材１ａ・１ｂの内面にして正面及び裏面から所定の距離だけ奥まった位置には端部材１ａ・１ｂの延設方向に延びる膨出条４が設けられ、この膨出条４に凹条３が設けられていることを特徴とするパネル体に係るものである。
【００１５】
また、請求項４，５いずれか１項に記載のパネル体において、凹条３の内壁には、該凹条３に嵌合された平板２に係止する係止爪５が設けられていることを特徴とするパネル体に係るものである。
【００１６】
また、請求項１〜６いずれか１項に記載のパネル体において、左右の端部材１ａ・１ｂと平板２とは、ピンやボルトナット等の連結具６によって連結されていることを特徴とするパネル体に係るものである。
【００１７】
また、請求項１〜７いずれか１項に記載のパネル体において、該パネル体31は、建物に設けられたフロアを区画する為に設置されるものであることを特徴とするパネル体に係るものである。
【００１８】
また、請求項１〜７いずれか１項に記載の複数のパネル体31が並設状態で立設されることで構成された壁部30が建物のフロアを区画する仕切り壁であることを特徴とする室内空間に係るものである。
【００１９】
【発明の作用及び効果】
左右の端部材１ａ・１ｂは軽金属製で、木製若しくは鉄製の端部材に比して軽量である為、必然的にパネル体31は軽量で運搬し易いものとなる。
【００２０】
また、左右の端部材１ａ・１ｂが軽金属製であると、端部材１ａ・１ｂが建物の内部に露出しても、アルミサッシ等の他の現代的な建物の部材と外観が非常にマッチし、体裁良好となる。
【００２１】
また、左右の端部材１ａ・１ｂが軽金属製であると、該左右の端部材１ａ・１ｂと平板２との連設は素材上，強度上の問題から接着剤では行えず、必然的にピンやボルトナット等の連結具６を使用したり、抜け止め不能となる嵌合構造を採用したりしなければならず、従来の接着剤に含まれシックハウス症候群の原因と考えられている有機溶剤の問題は発生しない。
【００２２】
以上の各作用により、本発明のパネル体31は、広いフロア（室内空間）を区画する為に設置するものとして非常に好適なものとなる。
【００２３】
【発明の実施の形態】
図面は本発明の一実施例を図示したものであり、以下に説明する。
【００２４】
パネル体31は、左右の端部材１ａ・１ｂ（枠部材）と該左右の端部材１ａ・１ｂ間に張設される平板２とから成り、左右の端部材１ａ・１ｂの内面にして正面及び裏面の端部から所定の距離だけ奥まった位置には前記端部材１ａ・１ｂの延設方向に延びる凹条３が夫々設けられ、この夫々の凹条３に前記平板２の左右端部が夫々嵌入された断面視Ｈ型の構造である。
【００２５】
左右の端部材１ａ・１ｂは、アルミニウムやマグネシウム等の軽金属製のものが採用されている。また、この左右の端部材１ａ・１ｂは、コストや生産性の観点から、アルミニウム製が良い。
【００２６】
また、左右の端部材１ａ・１ｂは押し出し成形品を採用すると良い。この場合、左右の端部材１ａ・１ｂは、押し出し成形品であるが故に、延設方向全域に亙って同断面形状である。
【００２７】
左右の端部材１ａ・１ｂにして前記凹条３よりも正面側及び裏面側には中空部７が設けられている。この中空部７の存在故に、端部材１ａ・１ｂは非常に軽量となる。
【００２８】
また、左右の端部材１ａ・１ｂの内面にして正面及び裏面から所定の距離だけ奥まった位置には、前記凹条３より巾広で且つ端部材１ａ・１ｂの延設方向に延びる膨出条４が設けられている。そして、この膨出条４に凹条３が設けられている。膨出条４の存在故に、左右の端部材１ａ・１ｂの左右方向の厚みを薄く設定して軽量化を図っても、凹条３の深さは該凹条３に嵌合される平板２を良好に嵌合できる程度に確保することができる。
【００２９】
凹条３の内壁には、該凹条３に嵌合された平板２の正面及び裏面に係止する係止爪５が夫々設けられている。
【００３０】
この係止爪５は、端部材１ａ・１ｂの成形の際に同時に形成しても良い。尚、特に押し出し成形品を採用する場合、前記同時形成法を採用すると、係止爪５が端部材１ａ・１ｂの延設方向全域に亙って形成されることになり、平板２の嵌入に支障を来す懸念がある。この懸念を解消する為には、例えば、凹条３の側壁、即ち、該凹条３と前記膨出条４とによって形成される突出壁部８に所定間隔を置いてコ字状，Ｖ字状等のスリットを形成し、このスリット内部を凹条３の内側に切り起こすことで所定間隔を置いて抜け止め作用を発揮する係止爪５が設けられたものと良い。
【００３１】
この係止爪５は、平板２の正面及び裏面に食い込み、該平板２が凹条３から抜け出ることを防止する。
【００３２】
また、突出壁部８には所定間隔を置いて貫通孔９が穿設されている。この貫通孔９は、凹条３に端部を嵌入した平板２と端部材１ａ・１ｂとを連結具６（ボルトナットやリベット等）で連結する際に使用するものである。
【００３３】
この貫通孔９の形成は、端部材１ａ・１ｂの成形の後に行われる。
【００３４】
また、左右の端部材１ａ・１ｂには、内外方向に貫通する連結孔10が適所に設けられている。この連結孔10は、隣接するパネル体31同志を連結具11（ボルトナットやリベット等）で連結する際に使用するものである。
【００３５】
左右の端部材１ａ・１ｂの表面には、アルミサッシ等と同様にヘアライン処理を施しておくと良い。尚、このヘアライン処理は、特にアルミニウムは傷が付き易いから、この傷が目立たないように予め表面に細く浅いヘアライン状の傷を多数形成する処理である。このヘアライン処理は、前記押し出し成形の際に形成可能である。
【００３６】
平板２は、一枚ものの平板でも、端部が凹条３に嵌入される複数の小平板を端部材１ａ・１ｂの延設方向に連設した構成の連設平板でもどちらでも採用することができる。
【００３７】
また、平板２は、フロアを区画して適宜レイアウトする為にパネル体31を使用する場合、高い強度は要求されない為、化粧板、合成樹脂板、カラー合板等、フロアのデザインに応じて適宜選択して採用する。また、デザイン性の観点から、壁紙（紙や合成樹脂で形成されたビニールクロス等）を表面に重合したものを採用しても良い。また、所定部位がデザイン状に刳り貫かれたものを採用しても良い。
【００３８】
特に、平板２として、前記端部材１ａ・１ｂとの体裁の兼ね合いから、軽金属製のもの、例えば、前記端部材１ａ・１ｂと同様のアルミニウムの押し出し成形品を採用すると良い。
【００３９】
この平板２と前記左右の端部材１ａ・１ｂとは、該平板２の左右端部を該左右の端部材１ａ・１ｂの凹条３に夫々嵌入して連設する。この嵌入の際、前記係止爪５が平板２の端部を凹条３内に保持する作用を発揮する為、平板２と左右の端部材１ａ・１ｂとは一体化する。
【００４０】
また、平板２と左右の端部材１ａ・１ｂとを強固に連設する場合には、平板２にして前記左右の端部材１ａ・１ｂの前記貫通孔９に合致する位置にドリル等で穴を空け、該穴に前記連結具６（ボルトやリベット等）を挿通して該連結具６により一体化すると良い。
【００４１】
また、この平板２と左右の端部材１ａ・１ｂとの連設の際、シックハウス症候群の原因ではないかと懸念されている有機溶剤入りの接着剤は使用しない。
【００４２】
この左右の端部材１ａ・１ｂと平板２が連設された構成のパネル体31は、必要に応じて隣接するパネル体31同志を連結して使用される。このパネル体31同志の連結の際には、前記連通孔10及び前記連結具11（ボルトナットやリベット等）を使用する。
【００４３】
このパネル体31は、主に広いフロアを幾つかの小フロアに区画したり、大会議室を二つの小会議室に区画したりする等、フロアを任意に区画してレイアウトする為の壁部30として使用される。
【００４４】
このパネル体31は、特に左右の端部材１ａ・１ｂが軽金製で且つ中空構造であるから、非常に軽量であり、よって、運搬作業や設置作業を容易に行うことができ、前記レイアウトを必要に応じて変更する際も該変更を容易に達成することができる。例えば、区画した小会議室の大きさの変更等は容易に行うことができる。
【００４５】
また、パネル体31は、端部材１ａ・１ｂが軽金属製であるから、現代的な雰囲気の室内に非常にマッチする美観を発揮し、前記フロアのレイアウト用等、露出する部分での使用に好適となる。
【００４６】
また、パネル体31は、採用する平板２によっても様々な美観を発揮し、この点においても露出する部分での使用に好適となる。
【００４７】
また、端部材１ａ・１ｂと平板２との連設は、係止爪５の係止作用が主な簡易な連設構造でも、ボルトナットのような連結具６を用いた強固な連設構造でも採用することができ、例えば、パネル体31を一時的に使用するだけであると予想される場合には、簡易な連設構造を採用して使用後に端部材１ａ・１ｂと平板２とを分解してしまうことも可能であり、非常に汎用性，収納性，運搬性に秀れる。
【００４８】
本実施例は上述のように構成したから、従来の所謂Ｈ型パネルでは出来なかった新しい使用形態、即ち、室内に露出する壁としての使用が可能な実用性に秀れたパネル体となる。
【００４９】
また、このパネル体31は軽量で移動等を容易に行えるものであるから、当該パネル体31を壁部分30として区画した室内空間は、フロアのレイアウトの変更等を容易に行え、実用性，汎用性に秀れることになる。
【００５０】
また、左右の端部材１ａ・１ｂとして単なる軽金属製ではなく、アルミニウムの押し出し成型品を採用すれば、生産性が良好で、建物の壁部30を構成できる長尺の端部材１ａ・１ｂであってもコスト安となる。
【図面の簡単な説明】
【図１】本実施例のパネル体31を二枚並設した状態を示す説明斜視図である。
【図２】本実施例のパネル体31の説明平面図である。
【図３】本実施例のパネル体31の要部の説明拡大断面図である。
【符号の説明】
１ａ・１ｂ  端部材
２  平板
３  凹条
４  膨出条
５  係止爪
６  連結具
30  壁部
31  パネル体
【図１】
2004204519.tif 000003
【図２】
2004204519.tif 000004
【図３】
2004204519.tif 000005